Podtech/llm-jp-corpus-v4-ja_patent huggingface dataset:
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
支持体を含み、そして親水性ポリマー・バインダー又は水分散性ポリマー・ラテックス・バインダー、及び反応するように組み合わされた：
a.  非感光性の被還元性銀イオン源、及び
b.  前記被還元性銀イオン源のための還元剤
を含む少なくとも1つの熱現像可能な画像形成層を有する熱現像可能な材料であって、
前記非感光性の被還元性銀イオン源が主にイミノ基を含有する窒素含有複素環式化合物の銀塩から成るロッド形粒子を含み、前記ロッド形粒子が少なくとも3:1の平均アスペクト比を有し、そして粒径幅指数が1.25以下である、
熱現像可能な材料。
【請求項２】
前記ロッド形粒子の、直径が0.1 μm以下であり、長さが1 μm未満であり、そしてアスペクト比が3〜10である、請求項1に記載の材料。
【請求項３】
フォトサーモグラフィ材料であり、そして感光性ハロゲン化銀をさらに含む、請求項1又は2に記載の材料。
【請求項４】
前記支持体の両側に、1つ又は2つ以上の、同じか又は異なる熱現像可能な画像形成層を含む、請求項1〜3のいずれか一項に記載の材料。
【請求項５】
(A)  フォトサーモグラフィ材料である請求項1〜4のいずれか一項に記載の材料に像様露光を施すことにより、潜像を形成し、
(B)  同時に又は続いて、前記露光済フォトサーモグラフィ材料を加熱することにより、前記潜像を現像して可視像にする
ことを含んで成る可視像形成方法。
【請求項６】
イミノ基を含有する窒素含有複素環式化合物の銀塩から成る粒子の製造方法であって：
A)  イミノ基を含有する窒素含有複素環式化合物の水溶液Aを調製し、
B)  硝酸銀の水溶液Bを調製し、そして
C)  pH 7.5〜10の親水性ポリマー・バインダー又は水分散性ポリマー・ラテックス・バインダーの水性分散体を含有する反応容器に、前記水溶液A及びBを同時に添加する
ことを含み、
前記水溶液A及びBの前記同時の添加が、前記反応容器内の30〜75℃の一定の温度、一定のpH、及び-50 mV以上の一定のvAgを維持しつつ、最大240分間にわたって、それぞれ一定の流量A1及びB1で行われ、
これにより、前記反応容器内に、前記親水性ポリマー・バインダー又は前記水分散性ポリマー・ラテックス・バインダーと、イミノ基を含有する前記窒素含有複素環式化合物の銀塩から成るロッド形粒子との有機銀塩分散体を調製し、
前記粒子の平均アスペクト比が最小3:1であり、そして粒径幅指数が1.25以下であり、また、前記親水性ポリマー・バインダー又は前記水分散性ポリマー・ラテックス・バインダーが、前記有機銀塩分散体中に2〜10重量%の量で存在する、
粒子の製造方法。
【請求項７】
親水性ポリマー・バインダー又は水分散性ポリマー・ラテックス・バインダーと、イミノ基を含有する窒素含有複素環式化合物の非感光性銀塩から成るロッド形粒子との有機銀塩分散体であって、前記粒子の平均アスペクト比が最小3:1であり、そして粒径幅指数が1.25以下であり、また、前記親水性ポリマー・バインダー又は前記水分散性ポリマー・ラテックス・バインダーが、前記有機銀塩分散体中に2〜10重量%の量で存在する、有機銀塩分散体。
【請求項８】
イミノ基を含有する窒素含有複素環式化合物の非感光性銀塩であって、前記銀塩が、平均アスペクト比最小3:1、粒径幅指数1.25以下、直径0.1 μm以下、及び長さ1 μm未満であるロッド形粒子の形態を成している、非感光性銀塩。
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
現在のビデオフレームＮ内において目標画素値で表示されるべき画素の画素値が、前記現在のビデオフレームＮの期間内に、低速画素領域に対応する低速画素閾値を超える移行を示すときに、当該画素に対して低速画素液晶のオーバドライブを提供する方法であって、
直前のビデオフレームＮ−１の期間内において前記画素にプレチルト画素値を適用することによって前記現在のビデオフレームＮにおける開始画素値を変更し、前記変更された開始画素値により、前記現在のビデオフレームＮにおける前記画素値の移行の期間内において前記画素の値が前記低速画素領域内にある時間を減少させて、前記現在のビデオフレームＮに対応する期間内に前記画素の値を前記目標画素値に到達させる工程と、
前記現在のビデオフレームＮの期間内に、前記オーバドライブされた前記画素を前記目標画素値で表示する工程と、
を備える、方法。
【請求項２】
請求項１に記載の方法であって、
前記現在のビデオフレームＮと、前記直前のビデオフレームＮ−１とは、それぞれ、関連する画素値をそれぞれ有する複数の画素からなる、方法。
【請求項３】
請求項２に記載の方法であって、
前記複数の画素のそれぞれは、画素データワードＰＤに関連付けられている、方法。
【請求項４】
請求項３に記載の方法であって、さらに、
連結ユニットにおいて、
表示中である前記直前のビデオフレームＮ−１に関連づけられた画素に対応するｍビットの画素データワードＰＤｍを受け取る工程と、
前記現在のビデオフレームＮ内で表示されるべき前記画素に対応するｎビットの画素データワードＰＤｎを受け取る工程と、
前記ｍビットの画素データワードＰＤｍと前記ｎビットの画素データワードＰＤｎとを連結する工程と、
を備える、方法。
【請求項５】
請求項４に記載の方法であって、さらに、
前記連結されたデータワードをフレームバッファに格納する工程と、
前記連結されたデータワードを低速領域閾値と比較する工程と、
前記比較に基づいて低速領域標識を設定する工程と、
前記低速領域標識が設定されたときに、前記低速画素液晶のオーバドライブを前記画素に適用する工程と、
を備える方法。
【請求項６】
現在のビデオフレームＮ内において目標画素値で表示されるべき画素の画素値が、前記現在のビデオフレームＮの期間内に、低速画素領域に対応する低速画素閾値を超える移行を示すときに、当該画素に対して低速画素液晶のオーバドライブを提供するコンピュータプログラムであって、
直前のビデオフレームＮ−１の期間内において前記画素にプレチルト画素値を適用することによって前記現在のビデオフレームＮにおける開始画素値を変更し、前記変更された開始画素値により、前記現在のビデオフレームＮにおける前記画素値の移行の期間内において前記画素の値が前記低速画素領域内にある時間を減少させて、前記現在のビデオフレームＮに対応する期間内に前記画素の値を前記目標画素値に到達させるコンピュータコードと、
前記現在のビデオフレームＮの期間内に、前記オーバドライブされた前記画素を前記目標画素値で表示するコンピュータコードと、
を備える、コンピュータプログラム。
【請求項７】
請求項６に記載のコンピュータプログラムであって、
前記現在のビデオフレームＮと、前記直前のビデオフレームＮ−１とは、それぞれ、関連する画素値をそれぞれ有する複数の画素からなる、コンピュータプログラム。
【請求項８】
請求項７に記載のコンピュータプログラムであって、
前記複数の画素のそれぞれは、画素データワードＰＤに関連付けられている、コンピュータプログラム。
【請求項９】
請求項８に記載のコンピュータプログラムであって、さらに、
連結ユニットにおいて、
表示中である前記直前のビデオフレームＮ−１に関連づけられた画素に対応するｍビットの画素データワードＰＤｍを受け取るコンピュータコードと、
前記現在のビデオフレームＮ内で表示されるべき前記画素に対応するｎビットの画素データワードＰＤｎを受け取る工程と、
前記ｍビットの画素データワードＰＤｍと前記ｎビットの画素データワードＰＤｎとを連結するコンピュータコードと、
を備える、コンピュータプログラム。
【請求項１０】
請求項９に記載のコンピュータプログラムであって、さらに、
前記連結されたデータワードをフレームバッファに格納するコンピュータコードと、
前記連結されたデータワードを低速領域閾値と比較するコンピュータコードと、
前記比較に基づいて低速領域標識を設定するコンピュータコードと、
前記低速領域標識が設定されたときに、前記低速画素液晶のオーバドライブを前記画素に適用するコンピュータコードと、
を備えるコンピュータプログラム。
【請求項１１】
現在のビデオフレームＮ内において目標画素値で表示されるべき画素の画素値が、前記現在のビデオフレームＮの期間内に、低速画素領域に対応する低速画素閾値を超える移行を示すときに、当該画素に対して低速画素液晶のオーバドライブを提供する装置であって、
直前のビデオフレームＮ−１の期間内において前記画素にプレチルト画素値を適用することによって前記現在のビデオフレームＮにおける開始画素値を変更し、前記変更された開始画素値により、前記現在のビデオフレームＮにおける前記画素値の移行の期間内において前記画素の値が前記低速画素領域内にある時間を減少させて、前記現在のビデオフレームＮに対応する期間内に前記画素の値を前記目標画素値に到達させる手段と、
前記現在のビデオフレームＮの期間内に、前記オーバドライブされた前記画素を前記目標画素値で表示する手段と、
を備える、装置。
【請求項１２】
請求項１１に記載の装置であって、
前記現在のビデオフレームＮと、前記直前のビデオフレームＮ−１とは、それぞれ、関連する画素値をそれぞれ有する複数の画素からなる、装置。
【請求項１３】
請求項１２に記載の装置であって、
前記複数の画素のそれぞれは、画素データワードＰＤに関連付けられている、装置。
【請求項１４】
請求項１３に記載の装置であって、さらに、
連結ユニットにおいて、
表示中である前記直前のビデオフレームＮ−１に関連づけられた画素に対応するｍビットの画素データワードＰＤｍを受け取る手段と、
前記現在のビデオフレームＮ内で表示されるべき前記画素に対応するｎビットの画素データワードＰＤｎを受け取る工程と、
前記ｍビットの画素データワードＰＤｍと前記ｎビットの画素データワードＰＤｎとを連結する手段と、
を備える、装置。
【請求項１５】
請求項１４に記載の装置であって、さらに、
前記連結されたデータワードをフレームバッファに格納する手段と、
前記連結されたデータワードを低速領域閾値と比較する手段と、
前記比較に基づいて低速領域標識を設定する手段と、
前記低速領域標識が設定されたときに、前記低速画素液晶のオーバドライブを前記画素に適用する手段と、
を備える装置。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
疎水性バインダー並びに
a.  感光性ハロゲン化銀、
b.  前記感光性ハロゲン化銀と反応するように組み合わされた、非感光性の被還元性銀イオン源、
c.  前記被還元性銀イオンのための還元剤、
e.  総銀量の1モル当たり0.0004〜0.01モルの量で存在する脂肪族又は非芳香族炭素環式ポリカルボン酸、及び
d.  随意選択的に、X線感受性燐光体
を含んで成る1つ又は2つ以上の画像形成層を有する支持体を含む、有機溶剤系フォトサーモグラフィ材料。
【請求項２】
前記脂肪族又は非芳香族炭素環式ポリカルボン酸が、下記構造(VIII)：
HOOC-L-COOH
(VIII)
（前記式中、Lは直接結合であるか、或いは炭素原子数1又は2から成る置換型又は無置換型脂肪族連結基を表す）
によって表される請求項1に記載の材料。
【請求項３】
前記X線感受性燐光体として、セリウム活性化型希土類リン酸塩又はセリウム活性化型リン酸イットリウムを含み、前記X線感受性燐光体が、ジルコン又はモナザイト結晶構造を有する、請求項1又は2に記載の材料。
【請求項４】
前記支持体の両側に、同じか又は異なる画像形成層を含む、請求項1〜3のいずれか一項に記載の材料。
【請求項５】
(A)  請求項1〜4のいずれか一項に記載のフォトサーモグラフィ材料のいずれかに輻射線による像様露光を施すことにより、潜像を形成し、
(B)  同時に又は続いて、前記露光済フォトサーモグラフィ材料を加熱することにより、該潜像を現像して可視像にする
ことを含む、可視像形成方法。
【請求項６】
前記フォトサーモグラフィ材料にX線による像様露光を施すことにより、潜像を形成する、請求項5に記載の可視像形成方法。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
材料のウェブの特徴を分析する方法であって、
ウェブの少なくとも一部分を撮像してデジタル情報を提供するステップと、
前記デジタル情報を初期アルゴリズムで処理して異常を含む前記ウェブ上の領域を識別するステップと、
前記ウェブ上に、該ウェブ上の位置を一意に識別する基準マークを配置するステップと、
前記ウェブをロール上に巻き取るステップと、
前記基準マークに対して前記識別領域を定位する位置情報を記録するステップと、
該巻き取りステップの後に、該ウェブをほどき、前記位置情報と前記基準マークとをガイドとして用いて、前記ウェブに、該識別領域のうちの少なくともいくつかの位置を識別する位置特定マークを適用するステップと、
を含む方法。
【請求項２】
該識別領域を記述する該デジタル情報を格納又はバッファリングするステップと、
該ウェブの意図した最終用途に対する欠陥である異常の構成要素を定義する入力を受け取るステップと、
該識別領域を記述する該デジタル情報を処理して、該ウェブの意図した最終用途に対する実際の欠陥と見なされる少なくとも一つの識別領域を識別するとともに、該ウェブの意図した最終用途に対する実際の欠陥と見なされない少なくとも一つの識別領域を識別するステップと、
を更に具備し、該位置特定マークが、該ウェブの意図した最終用途に対する実際の欠陥と見なされる該少なくとも一つの識別領域のみの位置を識別するために適用される、
請求項１に記載の方法。
【請求項３】
該識別領域を記述する該デジタル情報を処理するステップが、前記抽出した識別領域を該初期アルゴリズムと同一でない少なくとも１つの後続アルゴリズムで分析して、該ウェブの意図した最終用途に対する実際の欠陥と見なされる少なくとも一つの識別領域を判断するステップ、を含む、請求項２に記載の方法。
【請求項４】
材料のウェブをマーキングするシステムであって、
該ウェブ上の特定位置を一意に識別する基準マークを該ウェブに適用する基準マーカと、
ウェブの少なくとも一部分を撮像してデジタル情報を提供し、前記デジタル情報を初期アルゴリズムで処理して異常を含む前記ウェブ上の領域を識別し、さらに前記基準マークに対して前記識別領域を定位する位置情報を決定する検査モジュールと、
前記基準マークから定位情報を読み取るとともに提供する基準リーダと、
前記ウェブに位置特定マークを適用するウェブマーカと、
前記位置情報と前記定位情報とをガイドとして用いて、欠陥を構成する前記異常のうちの少なくとも一つの位置を識別する位置特定マークを該ウェブに適用するように前記ウェブマーカを制御するウェブマーカコントローラと、
を備え、該基準マーカと該検査モジュールとが第一の芯の回りに該ウェブを巻き取る第１のウェブ処理装置に関連するとともに、該基準リーダと該ウェブマーカと該ウェブマーカコントローラとが第二の芯の回りに該ウェブを巻き取る第２のウェブ処理装置に関連するシステム。
【請求項５】
前記ウェブマーカコントローラが、異常のマーキングに応じた信号を提供し、該ウェブの意図した最終用途に対する欠陥である異常の構成要素を定義する入力を受け取り、該異常の少なくとも一つが該ウェブの意図した最終用途に対して実際の欠陥と見なされることを決定する、請求項４に記載のシステム。
【請求項６】
前記検査モジュールが、前記デジタル情報から識別領域を定義する情報を抽出し、前記システムが、
異常を含む該ウェブ上の該識別領域を定義する該抽出された情報と、該基準マークに対して異常を含む該ウェブ上の領域を定位する該決定された情報と、を記憶すべく動作するデータ記憶モジュールと、
該データ記憶モジュールに記憶された該識別領域を定義する情報を受け取り、該識別領域を定義する該抽出された情報を少なくとも１つの後続アルゴリズムで分析して、該ウェブの意図した最終用途に対する実際の欠陥を表わしている少なくとも一つの異常と、該ウェブの意図した最終用途に対する実際の欠陥を表していない少なくとも一つの異常と、を決定するように動作する、前記ウェブマーカコントローラに関連するプロセッサと、
をさらに備える、請求項４に記載のシステム。
【請求項７】
上に基準マークを有する材料のウェブ上の欠陥をマーキングする方法であって、
ロールの形で該材料のウェブを受け取るステップと、
該ウェブ上の位置を一意に識別する該基準マークに対する、該ロール上の異常の場所についてのデジタル情報と、該異常を記述するデジタル情報と、を受け取るステップと、
該ロールを巻き取るステップと、
該デジタル情報と該基準マークとをガイドとして用いて、該異常の少なくともいくつかの位置を識別する位置特定マークを該ウェブに適用するステップと、
を具備する方法。
【請求項８】
該異常を記述する該デジタル情報を処理して、該ウェブの意図した最終用途に対する欠陥を構成するいくつかの異常と、該ウェブの意図した最終用途に対する欠陥を構成しないいくつかの異常と、を少なくとも決定するステップ、を更に具備する、請求項７に記載の方法。
【手続補正書】
【提出日】平成20年4月18日(2008.4.18)
【手続補正１】
【補正対象書類名】明細書
【補正対象項目名】００２８
【補正方法】変更
【補正の内容】
【００２８】
［好適な実施形態の詳細な説明］
図１は、気泡管（vial）１０の一実施形態の上面図であり、図２は図１の気泡管の正面図である。気泡管１０は、第１端部２１及び第２端部２２とその間の中点２３とを有する器体２０を備える。気泡管１０は好ましくは、アクリル、ポリカーボネート、ポリスチレン、ブチレート等のプラスチック材料から作成されて、透明である。器体２０の内表面２４が、たる形キャビティ３０を画定し、それにより、最大直径３１を有するキャビティ３０の断面が存在する。最大直径３１は好ましくは、中点２３又はその付近に位置する。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
テキスト・メッセージをユーザ端末から受けるステップと、
前記メッセージに応じてケースを初期化するステップと、
前記メッセージに応答する手法を決定するステップと、
所定の基準に基づき、生きている本物のエージェントに選択的に前記ケースをエスカレートさせるステップと、
を含む方法。
【請求項２】
請求項１に記載の方法であって、
前記ケースをエスカレートさせる前に、前記メッセージへ応答するために前記ユーザ端末へ会話形式の応答を提供するステップを、
さらに含む方法。
【請求項３】
請求項１に記載の方法であって、前記ケースをエスカレートさせる前記ステップは、前記ユーザ端末に本物のエージェントの端末との通信を提案するステップを含む、方法。
【請求項４】
請求項３に記載の方法であって、前記通信の提案は、電話、インスタント・メッセージ、及びインターネット・チャットの内の１つ又は複数を含む、方法。
【請求項５】
請求項４に記載の方法であって、前記通信の提案は、前記ユーザ端末に対する接触情報のリクエストを含む、方法。
【請求項６】
請求項４に記載の方法であって、前記通信の提案は、前記本物のエージェントの端末への接触情報の提供を含む、方法。
【請求項７】
請求項１に記載の方法であって、前記ケースをエスカレートさせる前記ステップは、ユーザに本物のエージェントが接触すべきであることを示す、前記本物のエージェントの端末への通信を生成するステップを含む、方法。
【請求項８】
請求項７に記載の方法であって、前記ケースをエスカレートさせる前記ステップは、所与の電話番号で前記ユーザに前記本物のエージェントが接触することの指示を含む、方法。
【請求項９】
請求項１に記載の方法であって、
前記ケースにおける前記ユーザ端末との通信の記録を記憶するステップを、
さらに含む方法。
【請求項１０】
請求項９に記載の方法であって、
前記記録を前記本物のエージェントの端末に提供するステップを、
さらに含む方法。
【請求項１１】
請求項１に記載の方法であって、前記所定の基準は、所定の回数よりも多い、実質的に同様のメッセージの受信を含む、方法。
【請求項１２】
請求項１に記載の方法であって、前記所定の基準は、特定の話題に関係するメッセージの受信を含む、方法。
【請求項１３】
請求項１に記載の方法であって、前記所定の基準は、選択された言葉を含むメッセージの受信を含む、方法。
【請求項１４】
請求項１に記載の方法であって、前記所定の基準は、前記本物のエージェントを求めるユーザのリクエストを含む、方法。
【請求項１５】
請求項１に記載の方法であって、
前記ケースがエスカレートされたことを示す、コール・センター宛の通信を送るステップを、
さらに含む方法。
【請求項１６】
請求項１に記載の方法であって、
複数の所定のカテゴリ内の第１カテゴリに前記ケースをカテゴリ化するステップを、
さらに含む方法。
【請求項１７】
請求項１６に記載の方法であって、
前記複数の所定のカテゴリ内の前記第１カテゴリに対するキューに関連するキュー情報をリクエストするステップを、
さらに含む方法。
【請求項１８】
請求項１７に記載の方法であって、前記キュー情報は、前記本物のエージェントについての推定された待ち時間を含む、方法。
【請求項１９】
請求項１に記載の方法であって、前記ケースをエスカレートさせる前記ステップは、前記本物のエージェントの端末が第三者として入ることを許可するステップを含む、方法。
【請求項２０】
請求項１に記載の方法であって、
前記メッセージに対する応答を前記本物のエージェントの端末に提案するステップを、
さらに含み、前記本物のエージェントの端末は、前記ユーザ端末への前記提案された応答の送信と、前記質問に答える異なる応答の生成と、のうちいずれかを選択する、方法。
【請求項２１】
機械により実行された場合に、
ユーザ端末からのテキスト・メッセージを受けるステップ；
前記メッセージに応じてケースを初期化するステップ；
前記メッセージに応答する方法を決めるステップ；及び
所定の基準に基づき、生きている本物のエージェントに前記ケースをエスカレートさせるステップ
を実行させる命令が格納された記憶媒体を備える物品。
【請求項２２】
請求項２１に記載の物品であって、前記ケースをエスカレートさせるステップの前に、前記メッセージに対して回答するために、前記ユーザ端末へ会話形式の応答を提供する命令をさらに含む物品。
【請求項２３】
請求項２１に記載の物品であって、前記ケースをエスカレートさせるステップは、本物のエージェントの端末との通信を前記ユーザ端末に提案するステップを含む、物品。
【請求項２４】
請求項２１に記載の物品であって、前記所定の基準は、所定の回数よりも多い、実質的に同様なメッセージの受信を含む、物品。
【請求項２５】
請求項２１に記載の物品であって、前記所定の基準は、特定の話題に関係するメッセージの受信を含む、物品。
【請求項２６】
請求項２１に記載の物品であって、複数の所定のカテゴリ内の第１カテゴリに前記ケースをカテゴリ化する命令をさらに含む物品。
【請求項２７】
顧客の質問に応答するシステムであって、
顧客端末からテキスト・メッセージを受ける第１モジュールと、
前記顧客のメッセージに対する所定の応答を記憶する第２モジュールと、
顧客のメッセージに対する所定の応答の提供と、生きている本物のエージェントへの前記顧客のエスカレーションと、のうちいずれかを所定の基準に基づき選択する第３モジュールと、
前記受けたメッセージと、前記顧客端末に送った前記所定の応答と、を記憶する第４モジュールと、
を備えるシステム。
【請求項２８】
請求項２７に記載のシステムであって、前記所定の基準は、
所定の回数よりも多い、実質的に同様なメッセージの受信、
特定の話題に関係するメッセージの受信、
選択された言葉を含むメッセージの受信、及び
前記本物のエージェントを求める顧客のリクエスト、の内の１つ又は複数を含む、システム。
【請求項２９】
請求項２７に記載のシステムであって、前記第３モジュールは、前記本物のエージェントに前記顧客がエスカレートされたことを示す、コール・センターへの通信を送るように構成される、システム。
【手続補正２】
【補正対象書類名】明細書
【補正対象項目名】０００５
【補正方法】変更
【補正の内容】
【０００５】
（概要）
本発明は、所定の基準が合致した際に、ユーザないし顧客を会話（対話）形式の係り（エージェント）（conversational agent）から生の（生きている、本物の）係り（エージェント）（live agent）にエスカレートさせるシステム及び方法を提供する。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
第１のサーバが複数の第２のサーバに要求を転送するようにされたネットワーク上でサーバ群内のサーバについて相対的負荷を監視する方法であって、
前記複数の第２のサーバの各々について、アドレス及びそれぞれのカウンタを含む第１の表を準備するステップと、
キャッシュ・ダンプを形成するために、アドレス解決プロトコル・キャッシュのコピーをストレージ域にダンプするステップと、
前記複数の第２のサーバのうちのどれが前記キャッシュ・ダンプに存在するのかを前記キャッシュ・ダンプから決定するステップと、
存在する前記第２のサーバの各々について、それぞれのカウンタを増分するステップと、
前記決定するステップと前記増分するステップとが完了した後で、前記それぞれのカウンタを互いに比較して、前記第２のサーバ間のロード不均衡が閾値より大きいかどうかを判断するステップと、
前記ロード不均衡が前記閾値より大きい場合には、前記ロード不均衡に関するメッセージを送信するステップと、を含む方法。
【請求項２】
前記ダンプするステップと前記決定するステップとが繰り返し実行され、前記アドレス解決プロトコル・キャッシュが、前記ダンプするステップの各々の繰り返しの後でクリアされる、請求項１に記載の方法。
【請求項３】
前記準備するステップは、最初に実行された後は、サーバが前記複数の第２のサーバに加えられたか又はこれから除去された場合にのみ実行される、請求項１に記載の方法。
【請求項４】
定期的に、前記カウンタの値をログ・ファイルに書き込むステップと、前記カウンタをクリアするステップとをさらに含む、請求項１に記載の方法。
【請求項５】
インターネットに接続されており、アドレス解決プロトコル・キャッシュを有する第１のサーバと、
前記第１のサーバとネットワークを形成するように接続された複数の第２のサーバであって、前記第１のサーバが、インターネットから受信した複数の要求を前記複数の第２のサーバのそれぞれのサーバに転送する、複数の第２のサーバと、
前記第１のサーバ上で稼動するプログラムであって、前記複数の第２のサーバの各々について、アドレス及びそれぞれのカウンタを含む第１の表を準備するステップと、前記アドレス解決プロセス・キャッシュをキャッシュ・ダンプにダンプするステップと、前記キャッシュ・ダンプ内の各々のアドレスについて、前記キャッシュ・ダンプ内の前記アドレスが前記第１の表内のアドレスと一致する場合には、それぞれのカウンタを増分するステップと、前記複数のカウンタを互いに比較して、前記第２のサーバ間のロード不均衡が閾値より大きいかどうかを判断するステップと、前記ロード不均衡が前記閾値より大きい場合には、前記ロード不均衡に関するメッセージをオペレータ・コンソールに送信するステップとを実行するプログラムと、を含むネットワーク。
【請求項６】
前記プログラムが前記ステップを繰り返し実行し、前記アドレス解決プロトコル・キャッシュが各前記ダンプするステップの後でクリアされる、請求項５に記載のネットワーク。
【請求項７】
前記準備するステップは、最初に実行された後は、サーバが前記複数の第２のサーバに加えられたか又はこれから除去された場合にのみ実行される、請求項５に記載のネットワーク。
【請求項８】
機械可読フォーマットのコンピュータ・プログラムであって、
複数のサーバの各々について、アドレス及びそれぞれの第１のカウンタを含む第１の表を準備する手順と、
キャッシュ・ダンプを形成するために、アドレス解決プロトコル・キャッシュをダンプする手順と、
前記キャッシュ・ダンプ内の各々のアドレスと一致する前記第１の表内の各々のアドレスについて、前記第１の表内のそれぞれのカウンタを増分する手順と、
前記それぞれの第１のカウンタを互いに比較して、前記第２のサーバ間のロード不均衡が閾値より大きいかどうかを判断する手順と、
前記ロード不均衡が前記閾値より大きい場合には、前記ロード不均衡に関するメッセージをオペレータ・コンソールに送信する手順と、
をコンピュータに実行させるためのコンピュータ・プログラム。
【請求項９】
前記プログラムが、前記第２のサーバの各々のサーバが所与の期間にわたりアクティブであった時間の相対量の報告を提供する手順をさらにコンピュータに実行させる、請求項８に記載のコンピュータ・プログラム。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
電気平衡グラフィック再現装置からのプリントの表面仕上げを変更する後処理装置であって、
プリント表面仕上げセクションと、
前記電気平衡グラフィック再現装置に接続され、該電気平衡グラフィック再現装置からの入力プリントを前記プリント表面仕上げセクションへ送る、入力プリント送りセクションと、
処理済みプリントを出力トレイへ送る処理済みプリント送りセクションと、を有し、
前記プリント表面仕上げセクションは、
メインフレームと、
前記メインフレームに軸回転可能に取り付けられ、稼働用位置と、該稼働用位置から角度変位した位置である保守用位置とを有するベルトフレームと、
加熱ローラーと、前記ベルトフレームに回転可能に取り付けられた少なくとも１つの非加熱ローラーとによって形成され、エンドレスベルト定着／後処理ベルトを支持するように設計された閉ループ経路と、
前記加熱ローラーを回転駆動して、前記エンドレス定着／後処理ベルトを前記閉ループ経路まわりに動かす手段と、
前記エンドレス定着／後処理ベルトのうち、前記エンドレス定着／後処理ベルトの移動方向において前記加熱ローラーよりも下流側の一部分に対して、冷却空気を当てる手段と、
前記エンドレス定着／後処理ベルトの張力を、稼働時張力と、前記エンドレス定着／後処理ベルトを前記閉ループ経路から容易に取り外すことができる保守時張力との間で変更する手段と、
前記加熱ローラーの一端に回転可能に接続されたリテーナー部材と、を有し、
前記非加熱ローラーの直径は、１．５インチ未満であり、
前記リテーナー部材は、前記ベルトフレームの前記稼働用位置に対応した加熱ローラー保持位置と、前記ベルトフレームの前記保守用位置に対応した加熱ローラー片持ち位置とを規定する特徴を有する、ことを特徴とする後処理装置。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
マトリクスディスプレイにおけるピクセル素子の複数のゾーンのグレースケールまたはカラーの値の不適合を補正するための方法であって、前記補正は、施行されたグレースケールまたはカラーのディスプレイ規格に関連し、ピクセル素子の各ゾーンは異なる較正関数によって補正され、前記方法は、
ピクセル素子の各ゾーンに対して独立して、
その駆動信号の関数としてのピクセル素子のゾーンのグレースケールまたはカラーの値の不適合を特徴付ける特徴付けデータを記憶するステップと、
特徴付けデータに従って、前記施行されたグレースケールまたはカラーのディスプレイ規格に適合するグレースケールまたはカラーのレベルを得るために、ピクセル素子の前記ゾーンの駆動信号を事前に補正するステップとを含み、前記事前に補正するステップは、表示すべきグレースケールまたはカラーの値の入力値と、ピクセル素子のゾーンが見られるかまたは見られるべき視野角とに基づいて実行され、
前記方法はさらに、ピクセル素子のゾーンが見られるかまたは見られるべき視野角が予め定められた範囲外である場合に、グレースケールまたはカラーのレベルの数を減らすことによって事前の補正を調整するステップを含む、方法。
【請求項２】
事前の補正を調整するステップは、ディスプレイ内容を均一なグレースケールレベルに変更するステップを含む、請求項１に記載の方法。
【請求項３】
ピクセル素子のゾーンは１つのピクセル素子を含む、請求項１または２に記載の方法。
【請求項４】
ピクセル素子のゾーンは複数のピクセル素子を含み、ゾーンの各ピクセル素子には同じ特徴付けデータが割当てられている、請求項１から３のいずれかに記載の方法。
【請求項５】
マトリクスディスプレイが見られるかまたは見られるべき前記視野角はユーザによって選択可能である、請求項１から４のいずれかに記載の補正方法。
【請求項６】
マトリクスディスプレイが見られるかまたは見られるべき前記視野角が検出システムを用いて測定される、請求項１から４のいずれかに記載の補正方法。
【請求項７】
前記特徴付けデータはさらに、バックライト強度の依存性、環境パラメータの依存性のうちの少なくとも１つを含む、請求項１から６のいずれかに記載の補正方法。
【請求項８】
前記環境パラメータは環境光の強度である、請求項７に記載の方法。
【請求項９】
前記駆動信号を事前に補正するステップは、ルックアップテーブルの使用に基づいて実行される、請求項１から８のいずれかに記載の補正方法。
【請求項１０】
前記駆動信号を事前に補正するステップは、少なくとも部分的に数学的関数を用いることに基づいて実行される、請求項１から９のいずれかに記載の補正方法。
【請求項１１】
ピクセル素子の個々のゾーンからキャプチャされた画像から特徴付けデータを生成するステップをさらに含む、請求項１から１０のいずれかに記載の方法。
【請求項１２】
特徴付けデータを生成するステップは、マトリクスディスプレイの各ピクセル素子についての特徴付けデータを表わすピクセル素子プロファイルマップを構築するステップを含む、請求項１１に記載の方法。
【請求項１３】
事前に補正するステップは、画像を表示しつつ、マトリクスディスプレイの駆動中にリアルタイムで実行される、請求項１から１２のいずれかに記載の補正方法。
【請求項１４】
事前に補正するステップは、画像を表示しつつ、マトリクスディスプレイの駆動中以外の時間にオフラインで実行される、請求項１から1２のいずれかに記載の補正方法。
【請求項１５】
前記施行されたグレースケールディスプレイ規格は、米国電機製造業者協会によって発行された医療用デジタル画像化および通信（ＤＩＣＯＭ）規格である、請求項１から１４のいずれかに記載の補正方法。
【請求項１６】
マトリクスディスプレイにおけるピクセル素子の複数のゾーンのグレースケールまたはカラーの値の不適合を補正するためのシステムであって、前記補正は、施行されたグレースケールまたはカラーのディスプレイ規格に関連し、前記システムは、
その駆動信号の関数として、および、ピクセル素子のゾーンが見られるべき視野角の関数としてのピクセル素子の複数のゾーンのグレースケールまたはカラーの値の不適合を特徴付ける特徴付けデータを記憶するためのメモリ手段と、
特徴付けデータに従って、施行されたグレースケールまたはカラーのディスプレイ規格に適合するグレースケールまたはカラーのレベルを得るために、駆動信号をピクセル素子のゾーンに事前に補正するための補正装置とを含み、
前記補正装置は、定められた視野角が予め定められた範囲外にある場合に、グレースケールのレベルまたはカラーのレベルの数を減らすことによってこれらの駆動信号を調整するよう適合される、システム。
【請求項１７】
補正装置は、単一のグレースケールまたはカラーのレベルを得るために、駆動信号をピクセル素子のゾーンに調整するよう適合される、請求項１６に記載のシステム。
【請求項１８】
ピクセル素子のいくつかのゾーンについての特徴付けデータを、ピクセル素子の前記ゾーンの各々のグレースケールまたはカラーのレベルといくつかの視野角についての対応する駆動信号との関係を確立す
ることによって、生成するための特徴付け装置をさらに含む、請求項１６または１７のいずれかに記載のシステム。
【請求項１９】
前記特徴付け装置は、マトリクスディスプレイのピクセル素子の画像を生成するための画像キャプチャ装置を含む、請求項１８に記載のシステム。
【請求項２０】
補正装置は、ディスプレイシステムに対するユーザの視野角を決定するための視野角決定装置を含む、請求項１６から１９のいずれかに記載のシステム。
【請求項２１】
画像を表示するためのマトリクスディスプレイ装置であって、ピクセル素子の複数のゾーンを含み、請求項１６から２０のいずれかに記載のシステムをさらに含む、マトリクスディスプレイ装置。
【請求項２２】
請求項１６から２０のいずれかに記載のシステムを含む、マトリクスディスプレイ装置とともに用いられる制御ユニット。
【手続補正書】
【提出日】平成20年4月14日(2008.4.14)
【手続補正１】
【補正対象書類名】特許請求の範囲
【補正対象項目名】請求項１
【補正方法】変更
【補正の内容】
【請求項１】
光軸（２．３；１２．３；２２．３；３２．３；４２．３；５２．３）と素子本体（２．１；１２．１；２２．１；３２．１；４２．１；５２．１）の円周方向に延びる周辺領域（２．６；１２．６；２２．６；３２．６；４２．６；５２．６）を有し、
少なくとも第一の保持領域（２．７；１２．７；２２．７；３２．７；４２．７；５２．７）が配置され、
前記第一の保持領域（２．７；１２．７；２２．７；３２．７；４２．７；５２．７）は、前記素子本体（２．１；１２．１；２２．１；３２．１；４２．１；５２．１）を保持するために第一の保持装置（３；１３；２３）と協働するように設計された、少なくとも第一の接触領域（２．８；１２．８；２２．８；３２．８；４２．８；５２．８）を有する、
光学的に有効な第一の領域（２．２；１２．２；２２．２；３２．２；４２．２；５２．２）を伴う素子本体（２．１；１２．１；２２．１；３２．１；４２．１；５２．１）を有する、光学素子、特にレンズであって、
前記周辺領域（２２．６；３２．６；４２．６；５２．６）は、前記光軸（２２．３；３２．３；４２．３；５２．３）方向で限定される方法で、前記素子本体（２２．１；３２．１；４２．１；５２．１）の前記光軸（２２．３；３２．３；４２．３；５２．３）方向に互いに間隔を開けて離れた、２つの接触面（２２．１０、２２．１１；３２．１０、３２．１１；４２．１０、４２．１１；５２．１０、５２．１１）だけに、前記第一の接触領域（２２．８；３２．８；４２．８；５２．８）を生成し、
それぞれ、前記素子本体（２２．１；３２．１；４２．１；５２．１）の円周の外側端部（４２．１６、４２．１７；５２．１６、５２．１７）の領域に配置され、少なくとも一つが、前記光軸（２２．３；３２．３；４２．３；５２．３）方向に延びる、
ことを特徴とする、光学素子。
【手続補正２】
【補正対象書類名】特許請求の範囲
【補正対象項目名】請求項３
【補正方法】変更
【補正の内容】
【請求項３】
前記周辺領域（２．６；１２．６；２２．６；３２．６；４２．６）は、素子本体（２．１；１２．１；２２．１；３２．１；４２．１）の円周方向に限定された方法で、円周方向の限定された第一の円周領域にのみ、前記第一の接触領域（２．８；１２．８；２２．８；３２．８；４２．８）を形成し、
前記第一の円周領域は、前記素子本体（２．１；１２．１；２２．１；３２．１；４２．１）の前記円周の特に３０％未満、好ましくは１５％未満、更により好ましくは５％未満を覆うように延びることを特徴とする、請求項１または２に記載の光学素子。
【手続補正３】
【補正対象書類名】特許請求の範囲
【補正対象項目名】請求項４
【補正方法】変更
【補正の内容】
【請求項４】
前記第一の円周領域は、前記円周方向に限定されて、前記光軸から離れて延びる、前記光学素子（２．１；１２．１；２２．１；３２．１）上の第一の突出部（２．９；１２．９；２２．９；３２．９）により形成される前記第一の接触領域（２．８；１２．８；２２．８；３２．８）を有する、ことを特徴とする、請求項３に記載の光学素子。
【手続補正４】
【補正対象書類名】特許請求の範囲
【補正対象項目名】請求項２３
【補正方法】変更
【補正の内容】
【請求項２３】
前記光学素子は、光軸（２．３；１２．３；２２．３；３２．３；４２．３；５２．３)を有する、光学的に有効な第一の領域（２．２；１２．２；２２．２；３２．２；４２．２；５２．２）を伴う素子本体（２．１；１２．１；２２．１；３２．１；４２．１；５２．１)を有し、少なくとも第一の保持領域（２．７；１２．７；２２．７；３２．７；４２．７；５２．７)が配置される前記素子本体（２．１；１２．１；２２．１；３２．１；４２．１；４２．１；５２．１)の円周方向に延びる、周辺領域（２．６；１２．６；２２．６；３２．６；４２．６；５２．６)を有し、
前記第一の保持領域（２．７；１２．７；２２．７；３２．７；４２．７；５２．７)は、前記素子本体（２．１；１２．１；２２．１；３２．１；４２．１；５２．１)を保持するために第一の保持装置（３；１３；２３）と協働するように設計された、少なくとも一つの第一の接触領域（２．８；１２．８；２２．８；３２．８；４２．８；５２．８)を有し、
前記周辺領域（２２．６；３２．６；４２．６；５２．６)は、前記光軸（２２．３；３２．３；４２．３；５２．３)方向で限定される方法で、前記光軸（２２．３；３２．３；４２．３；５２．３)方向で、互いに間隔を開けて離れた前記素子本体（２２．１；３２．１；４２．１；５２．１）の二つの接触面（２２．１０，２２．１１；３２．１０，３２．１１；４２．１０，４２．１１；５２．１０，５２．１１)だけに、前記第一の接触領域(２２．８；３２．８；４２．８；５２．８)を形成し、
前記二つの接触面は、前記素子本体（２２．１；３２．１；４２．１；５２．１)の円周の外側端部（４２．１６；４２．１７；５２．１６；５２．１７)の領域にそれぞれ配置され、少なくとも一つが、前記光軸（２２．３；３２．３；４２．３；５２．３)方向に部分的に延びる、ことを特徴とする、請求項１４〜２２のいずれか一項に記載の光学配置。
【手続補正５】
【補正対象書類名】特許請求の範囲
【補正対象項目名】請求項２４
【補正方法】変更
【補正の内容】
【請求項２４】
前記周辺領域（２．６；１２．６；２２．６；３２．６；４２．６）は、前記素子本体（２．１；１２．１；２２．１；３２．１；４２．１)の前記円周方向で限定される方法で、前記円周方向で限定された第一の円周領域だけに、前記第一の接触領域（２．８；１２．８；２２．８；３２．８；４２．８)を形成し、
前記第一の円周領域は、前記素子本体（２．１；１２．１；２２．１；３２．１；４２．１)の前記円周の特に３０％未満を覆って、好ましくは、１５％未満を覆って、そして更により好ましくは５％未満を覆うように延びることを特徴とする、請求項１４〜２３のいずれか一項に記載の光学配置。
【手続補正６】
【補正対象書類名】特許請求の範囲
【補正対象項目名】請求項２５
【補正方法】変更
【補正の内容】
【請求項２５】
前記第一の円周領域は、前記円周方向に限定されて、前記光軸から離れて延びる前記素子本体（２．１；１２．１；２２．１；３２．１）の第一の突出部（２．９；１２．９；２２．９；３２．９)によって、形成される前記第一の接触領域(２．８；１２．８；２２．８；３２．８)を有する、ことを特徴とする、請求項２４に記載の光学配置。
【手続補正書】
【提出日】平成20年4月4日(2008.4.4)
【手続補正１】
【補正対象書類名】特許請求の範囲
【補正対象項目名】請求項１
【補正方法】変更
【補正の内容】
【請求項１】
第１の発光スペクトルを有する光源からの光の色又は色温度を調整するための色変換セルであって、当該色変換セルは、２つの電極間に保持されるマトリックス中に色変換物質を有し、前記色変換物質は、前記第１の発光スペクトルとは異なった第２の発光スペクトルを有し、前記色変換セルは少なくとも、
前記色変換物質が、
−前記セルに入射する光の第１の割合Ａ１を吸収し、
−前記第２の発光スペクトルを有する光を発し、
−前記セルに入射する光の第２の割合Ｔ１を透過する、
第１の状態と、
第１の割合Ａ２が前記第１の状態における前記第１の割合Ａ１よりも小さく、第２の割合Ｔ２が前記第１の状態における前記第２の割合Ｔ１よりも大きい、第２の状態と、
の間でシフト可能である、色変換セル。
【手続補正２】
【補正対象書類名】特許請求の範囲
【補正対象項目名】請求項９
【補正方法】変更
【補正の内容】
【請求項９】
調整可能な色又は色温度を有する発光デバイスであって、第１の発光スペクトルを有する光源と、前記光源からの光の少なくとも一部によって照らされるように配置された色変換セルとを有し、前記色変換セルは、２つの電極間に保持されるマトリックス中に色変換物質を有し、前記色変換物質は、前記第１の発光スペクトルとは異なった第２の発光スペクトルを有し、前記色変換セルは少なくとも、
前記色変換物質が、
−前記セルに入射する光の第１の割合Ａ１を吸収し、
−前記第２の発光スペクトルを有する光を発し、
−前記セルに入射する光の第２の割合Ｔ１を透過する、
第１の状態と、
第１の割合Ａ２が前記第１の状態における前記第１の割合Ａ１よりも小さく、第２の割合Ｔ２が前記第１の状態における前記第２の割合Ｔ１よりも大きい、第２の状態と、
の間でシフト可能である、発光デバイス。
【手続補正３】
【補正対象書類名】特許請求の範囲
【補正対象項目名】請求項１０
【補正方法】変更
【補正の内容】
【請求項１０】
請求項９に記載の発光デバイスにおいて、前記光源と前記色変換セルとの間に配置される反射器を更に有し、前記反射器は、第１の周波数スペクトルを有する光源光に対しては少なくとも実質的に透明で、前記色変換物質によって発される第２の周波数スペクトルを有する光に対しては少なくとも実質的に反射性である、発光デバイス。
【手続補正４】
【補正対象書類名】特許請求の範囲
【補正対象項目名】請求項１１
【補正方法】変更
【補正の内容】
【請求項１１】
請求項９に記載の発光デバイスにおいて、異なった色変換物質を有する複数の色変換セルを有し、これら色変換セルは、前記光源からの光が、前のセルを通じて後続するセルを照らすことを許可するように、前記光源から見て縦列配置される、発光デバイス。
【手続補正書】
【提出日】平成20年2月26日(2008.2.26)
【手続補正１】
【補正対象書類名】明細書
【補正対象項目名】００２６
【補正方法】変更
【補正の内容】
【００２６】
この発明の１つの実施例に従って、パッド３１０は、パラジウム／銀のトレースの一部上に配置された金のパッドであり得る。金のパッドは、ひずみゲージとＰＣＢ２２０との間のワイヤボンディングを容易にする。しかしながら、パッド３１０は、ひずみセンサからのリード線がたとえばワイヤボンディングまたははんだ付けによって接続され得る任意の電気的に伝導性を持つ材料を含むことができることが理解されるべきである。切抜き部３１７によって、ワイヤがひずみセンサからパッドへ導かれることが可能である。インターフェースＰＣＢ２２０はさらに、ブラケットへのはんだ付けを容易にするために金属コーティングを含み得る切欠き３１８を含み得る。切抜き部３１９は、ブラケット（図３Ｂに図示）およびインターフェースＰＣＢ２２０を圧力ポートに取付けるための抵抗スポット溶接を容易にすることができる。
【手続補正２】
【補正対象書類名】明細書
【補正対象項目名】００２７
【補正方法】変更
【補正の内容】
【００２７】
図３Ｂは、インターフェースＰＣＢを圧力ポートに取付けるためのブラケット２４５の１つの実施例の概略図である。この発明の１つの実施例に従って、ブラケット２４５は、ニッケルめっきされた３１６半硬ステンレス鋼を主に含み得る。限定としてではなく一例として、ブラケット２４５の厚さは、．０００２インチの厚さのニッケルめっきを含めて約．０１９インチであり得る。ニッケルめっきは、ブラケット２４５をインターフェースＰＣＢ２２０にはんだ付けすることを容易にする。しかしながら、ブラケット２４５はさまざまな他の材料、好ましくは仮付け溶接されることができる材料を含み得る。ブラケット２４５は、図１に示される圧力ポートにスポット溶接されることができる。この発明の他の実施例では、ブラケット２４５は、はんだ付け、リベットまたはねじを含むがそれらに限定されない他の取付スキームを使用して圧力ポートに結合されることができる。ブラケット２４５はさらに、ブラケット２４５をインターフェースＰＣＢ基板と接合するために使用され得るポスト３２０を含み得る。
【手続補正３】
【補正対象書類名】明細書
【補正対象項目名】００２８
【補正方法】変更
【補正の内容】
【００２８】
図３Ｃは、ブラケット２４５に接続されたＰＣＢ基板２２０の概略図である。図３Ｃの実施例では、ブラケット２４５のポスト３２０は、はんだ接合によって切欠き３１８においてＰＣＢ２２０に取付けられることができる。したがって、ポスト３２０は、ブラケット２４５とインターフェースＰＣＢ２２０との間に取付けのポイントをもたらし、インターフェースＰＣＢ２２０とダイヤフラムとの間にオフセットをもたらす。この発明の他の実施例では、インターフェースＰＣＢ２２０は、リベット、ねじ、溶接、はんだ付け、圧着（たとえば、ポスト３２０の圧着）または他の取付スキームの使用を含む、当業者によって理解されるであろう任意の好適な取付スキームに従ってブラケット２４５に結合されることができる。例示的なＰＣＢ基板およびブラケットは、ＵＳＡペンシルバニア州のハリスバーグ（Harrisburg）に本部を置く、タイコ・インターナショナル・リミテッド（Tyco International, Ltd.）の統合された企業であるタイコ・エレクトロニクス（Tyco Electronics）によって製造されることができる。図３Ｃは、インターフェースＰＣＢ２２０に結合されたソケット２３５も示す。ソケット２３５は、インターフェースＰＣＢ２２０にはんだ付けされることができる。一例として、ソケット２３５は、ニューヨーク州オイスターベイ（Oyster Bay）のミルマックス・マニュファクチャリング・インコーポレイテッド（Mil-Max Mfg. Inc.）によって製造されるミルマックスソケット番号８２５２−０−１５−３０−２７−１０−０であり得る。ソケット２３５は、ヘッダアセンブリ上のピンと接続するように構成され得る。
【手続補正４】
【補正対象書類名】明細書
【補正対象項目名】００２９
【補正方法】変更
【補正の内容】
【００２９】
図４Ａおよび図４Ｂは、ヘッダアセンブリ１１０の１つの実施例の概略図である。ヘッダアセンブリ１１０は、外殻４０５と、外殻を貫通する電気的接続部（たとえば、ピン２４０）と、ガラス金属封じ４１０とを含み得る。ガラス金属封じ４１０は、整合ガラス金属封じ、圧縮ガラス金属封じ、または当該技術分野において公知の他のガラス金属封じであり得る。ダイヤフラム絶対圧力ゲージ、つまり、基準圧力として真空または非常に低い圧力を利用するダイヤフラム真空ゲージでは、外殻４０５は、圧力ポートに密閉封止されることができる任意の材料を含み得る。限定としてではなく一例として、外殻４０５は３１６Ｌステンレス鋼を含む可能性があり、ピン２４０は合金５２を含む可能性がある。ピン２４０は、はんだ付け性を確実なものにするようにニッケルめっきされることができる。この発明の他の実施例では、外殻４０５によって基準圧力室が周囲の環境に少なくとも部分的に開かれることが可能である。
【手続補正５】
【補正対象書類名】明細書
【補正対象項目名】００３０
【補正方法】変更
【補正の内容】
【００３０】
この発明の１つの実施例に従って、ガラス金属封じ４１０は、ピン２４０と外殻４０５との間に２５０ＶＤＣで少なくとも５０Ｍｏｈｍの絶縁抵抗をもたらすことができる。ピン２４０は、外殻４０５がインターフェースＰＣＢ上に置かれるときにピン２４０がインターフェースＰＣＢ上のソケットと整列できるように位置決めされることが可能である。例示的には、ガラス金属封じを有するヘッダアセンブリ組立品は、ミズーリ州セントルイ
ス（St. Louｉs）のエマーソン・エレクトリック・カンパニー（Emerson Electric Co.）の事業部である、オハイオ州シンシナティ（Cincinnati）のフューサイト（Fusite）によって製造されることができる。